(57)【要約】【課題】本発明は、簡単な作業で、操作パネルの内側に配線挿通部が設置できる車両のインストルメントパネルを提供する。【解決手段】本発明は、後付け機器４５の配線４６を挿通させる配線挿通部３７を、分割したパネル部材１５ａ〜１５ｄにならって複数の分割挿通部３８ａ〜３８ｅに分割させて、分割パネル部材の内面にそれぞれ設け、操作パネル１５が一面に形成されるにしたがい、分割挿通部の相互が組み合い、機器取付け域αの近傍から所定位置までの経路を形成する構造にした。これにより、インストルメントパネル１は、操作パネル１５を形成する作業を行うだけで、操作パネル１５の内側に、後付け機器４５の配線４６を挿通させる配線挿通部３７が形成される。【選択図】図３
2011020615.tif 000002
【特許請求の範囲】
【請求項１】
上面に後付け機器が取付け可能な機器取付け域を有し、前面に各種機器の操作を行う操作パネルを有し、内部に前記機器取付け域の近傍から前記操作パネル沿いに所定位置まで延びる配線挿通部を設け、前記配線挿通部を通じて、前記機器取付け域に取り付けた前記後付け機器の配線を所定位置まで導けるようにした車両のインストルメントパネルであって、
前記インストルメントパネルの操作パネルは、複数に分割されたパネル部材を組み合わせることによって一面となる分割式構造で形成され、
前記配線挿通部は、前記パネル部材にならって複数の分割挿通部に分割され、
前記分割した分割挿通部は、前記分割パネル部材の内面にそれぞれ設けられ、前記操作パネルが一面に形成されるにしたがい、当該分割挿通部の相互が組み合い、前記機器取付け域の近傍から所定位置までの経路を形成する構造となっている
ことを特徴とする車両のインストルメントパネル。
【請求項２】
前記分割挿通部は、前記後付け機器の配線が通る出入り口を有し、前記出入り口が、前記複数のパネル部材を組み合わせたとき、隣り合うパネル部材の境界部において互いに向き合う
ことを特徴とする請求項１に記載の車両のインストルメントパネル。
【請求項３】
前記分割挿通部の出入り口は、先に組み付けるパネル部材の分割挿通部の出入り口に対し、後から組み付くパネル部材の分割挿通部の出入り口を位置決める位置決め部を有していることを特徴とする請求項２に記載の車両のインストルメントパネル。
【請求項４】
前記パネル部材のうち、一部のパネル部材は、シガーライタソケットを有し、
前記配線挿通部の所定位置は、前記シガーライタソケットが配置されたパネル部材の前記シガーライタソケット近辺である
ことを特徴とする請求項１に記載の車両のインストルメントパネル。
【発明の詳細な説明】
【技術分野】
【０００１】
本発明は、後付け機器が取付け可能な車両のインストルメントパネルに関する。
【背景技術】
【０００２】
自動車（車両）の車室内の前部には、操作パネルを前面に有したインストルメントパネルが設けられている。このインストルメントパネルの前面には、シートに着座している乗員から容易に操作できるよう、操作パネルが設けられている。
こうした操作パネルの多くは、運転席と助手席間となる中央部から下方に延びている。そして、操作パネル上に、操作パネルの内側に格納された各種装備品の操作具類が設けてある。具体的には操作パネルの内側には、オーディオユニットや空調操作ユニットやシガーライタソケットなど各種装備品が取付けられ、操作パネルの外側面に、当該オーディオユニットや空調操作ユニットを操作する操作具などが設けられる。
【０００３】
ところで、自動車では、購入時から標準的に装備されている、オーディオ機器や空調機器やシガーライタソケットなどといった標準装備品以外に、装備品を組み付けることがある。この装備品は、後から付けるために後付け機器と呼ばれる。後付け機の代表的なものとしては、市販のナビゲート装置などがある。
こうした後付け機器は、視認性や操作性を考慮して取付けるために、インストルメントパネルの上面の一部を機器取付け域として用いて設置することが多い。この後付け機器の多くは、電源を供給する機器と取り合うため、電源ケーブルが付いている。このため、後付け機器は、単にインストルメントパネルに設置するだけでなく、後付け機器から延びる電源ケーブルを、インストルメントパネル上で、唯一、電源供給端子を兼ねる装備品となる操作パネル上のシガーライタソケットに接続することが求められる。
【０００４】
ところが、シガーライタソケットは、他の標準装備品より使用優先度が低いため、操作パネルの最下部といった、後付け機器から最も離れた地点に配置されている。このため、後付け機器から延びる電源ケーブルは、他の標準装備品が配置されている操作パネルの表面、あるいはその近傍のインストルメントパネル部分の表面に這わせて、シガーライタソケットに接続することになる。
【０００５】
このため、電源ケーブルの大部分が、インストルメントパネルの表面から露出する結果となり、表面を通る配線で、インストルメントパネルの見栄えが大きく損なわれてしまう問題がある。
そこで、特許文献１に開示されているようにインストメントパネル上面の、後付け機器が取付く機器取付け域の近傍に通孔を設け、インストルメントパネルの内部に、同通孔からシガーライタソケットの近辺のパネル部分までを中継するよう配線挿通部を設けた構造を採用して、後付け機器の配線を配線挿通部に挿通させることにより、操作パネルの内側に配線を通過させて、インストメントパネル表面での配線露出を抑えるようにした技術が提案されている。
【０００６】
ところで、インストルメントパネルの操作パネルは、大形の標準装備品が装備される傾向にあるので、同標準装備品の組立作業性の向上のため、特許文献２にも開示されているように、一部品ではなく、標準装備品毎に上下に分割された複数のパネル部材を用いて、同パネル部材の組み合わせから、一面の操作パネルを形成する分割式構造が用いられる傾向にある。
【先行技術文献】
【特許文献】
【０００７】
【特許文献１】特開平１０−６８１４号公報
【特許文献２】特開平１１−２５５０００号公報
【発明の概要】
【発明が解決しようとする課題】
【０００８】
そこで、分割式構造の操作パネルをもつインストルメントパネルに、特許文献１の技術を適用することが考えられる。
このためには、分割されたパネル部材の組付けを終えてから、インストルメントパネルの内側から、パネル部材沿いに長尺な配線挿通部を通す作業を行い、同配線挿通部材の一端部をインストメントパネル上面の機器取付け域の近傍の通孔につなぎ、他端部を最下段のパネル部に有るシガーライタソケットの近辺で開口させる作業を行う。
【０００９】
ところが、それぞれ分割されたパネル材の内側のスペースは、いずれも同パネル部材に装着されている標準装備品の本体部などで占められ、外部から配線挿通部を通す作業が行える場所は限られている。このため、操作パネルの内側を通過させる作業は、非常に難しく、簡単には機器取付け域からシガーライタソケットの近傍まで配線挿通を形成することができない。
【００１０】
そこで、本発明の目的は、簡単な作業で、操作パネルの内側に配線挿通部が設置できる車両のインストルメントパネルを提供することにある。
【課題を解決するための手段】
【００１１】
請求項１に記載の発明は、上記目的を達成するために、後付け機器の配線を挿通させる配線挿通部を、分割したパネル部材にならって複数の分割挿通部に分割させて、分割パネル部材の内面にそれぞれ設け、操作パネルが一面に形成されるにしたがい、分割挿通部の相互が組み合い、機器取付け域の近傍から所定位置までの経路を形成する構造となるようにした。
【００１２】
同構成により、インストルメントパネルは、分割したパネル部材を組み合わせて一面の操作パネルを形成する作業を行うと、操作パネルの内側には、後付け機器の配線を挿通させる配線挿通部が形成される。
請求項２に記載の発明は、さらに後付け機器の配線が挿通しやすいよう、分割挿通部は、後付け機器の配線が通る出入り口を有し、この出入り口が、複数のパネル部材を組み合わせたとき、隣り合うパネル部材の境界部において互いに向き合うこととした。
【００１３】
請求項３に記載の発明は、さらに隣り合うパネル部材の境界部において出入り口同士が確実に合わさるよう、分割挿通部の出入り口は、先に組み付けるパネル部材の分割挿通部の出入り口に対し、後から組み付くパネル部材の分割挿通部の出入り口を位置決める位置決め部を設ける構成とした。
請求項４に記載の発明は、さらに後付け機器の電源が容易に確保されるよう、配線挿通部の所定位置は、シガーライタソケットを有したパネル部材のうちのシガーライタソケット近辺とした。
【発明の効果】
【００１４】
請求項１の発明によれば、通常に行われるパネル部材を組み合わせて操作パネルを形成するという作業を行うだけで、別途、難しい作業を必要とせずに、操作パネルの内側に、後付け機器の配線を挿通させるための配線挿通部が形成される。
したがって、簡単な作業で、操作パネルの内側に配線挿通部を設置することができる。
請求項２の発明によれば、さらに隣り合うパネル部材の境界部において、後付け機器の配線が通る分割挿通部の出入り口が互いに向き合うから、後付け機器の配線が挿通しやすく、配線の挿通作業が容易になる。
【００１５】
請求項３の発明によれば、出入り口の位置決め部により、先に組み付けるパネル部材の分割挿通部の出入り口に、後から組み付くパネル部材の分割挿通部の出入り口が位置決めされるから、隣り合うパネル部材の境界部において出入り口同士を確実に合わせることができ、さらに後付け機器の配線を挿通しやすくできる。
請求項４の発明によれば、容易に後付け機器の電源が確保できる。
【図面の簡単な説明】
【００１６】
【図１】本発明の第１の実施形態に係るインストメントパネルの外観を示す斜視図。
【図２】同じくインストルメントパネルに後付け機器を取り付けたときを示す斜視図。
【図３】インストルメントパネルに形成された分割式の配線挿通部の構造を示す分解斜視図。
【図４】同じく分解した断面図。
【図５】同配線挿通部が組み上がったときを示す断面図。
【図６】本発明の第２の実施形態の要部となる分割式の配線挿通部の構造を示す分解斜視図。
【図７】同配線挿通部が組み上がったときを示す断面図。
【図８】本発明の第３の実施形態の要部となる分割挿通部端に形成された位置決め部の構造を示す斜視図。
【図９】本発明の第４の実施形態の要部となる異なる構造の位置決め部を示す斜視図。
【図１０】本発明の第５の実施形態の要部となる異なる構造の位置決め部を示す斜視図。
【図１１】本発明の第６の実施形態の要部となる異なる構造の分割挿通部を示す斜視図。
【図１２】本発明の第７の実施形態の要部となる異なる構造の分割挿通部を示す斜視図。
【発明を実施するための形態】
【００１７】
以下、本発明を図１ないし図５に示す第１の実施形態にもとづいて説明する。
図１は自動車（車両）の車室内前部に配置されるインストルメントパネル１の外観を示し、図２は同インストメントパネル１に後付け機器４５が装着されたときを示し、図３〜図４はインストルメント１の各部をそれぞれ示している。
図１に示されるようにインストルメントパネル１の本体部２は、車室内の車幅方向に延びる横部３と、同横部３の車幅方向中央部（運転席と助手席間に位置する部位）から乗員の大腿部側（下方向）に向かって延びる延出部４とを組み合わせたＴ形をなしている。このうち横部３の延出部４を挟んだ運転席側には、各種計器が集中配置されたメータクラスタ６やサイド吹出口７が設けられ、助手席側には、グローブボックス８やサイド吹出口９が設けられている。また図１〜図４に示されるように延出部４の前面には、大部分、すなわち最上部から最下部に渡り開口部１０が設けられている。この開口部１０を塞ぐようにして延出部４の前面には、メイン吹出口１４の付いた操作パネル１５が設けられている。
【００１８】
操作パネル１５は、複数、例えば上下に４つに分割された合成樹脂製のパネル部材１５ａ〜１５ｄから構成されている。つまり、操作パネル１５は、パネル部材１５ａ〜１５ｄが互いに組み合うことで、一面の操作パネル１５が形成される構造（分割式）となっている。
これらパネル部材１５ａ〜１５ｄには、標準装備品が設けられている。例えば図３に示されるように最上段に配置されるパネル部材１５ａの内面には、吹出ユニット１８が装着され、その下のパネル部材１５ｂの内面には空調操作ユニット１９が装着され、その下のパネル部材１５ｃの内面にはオーディオユニット２０が装着され、最下段に配置されるパネル部材１５ｄには、灰皿ユニット２１とシガーライタ２３（図１に一部だけ図示）に用いるシガーライタソケット２４とが装着されている。また各パネル部材１５ａ〜１５ｄの外面には標準装備品の操作具類が設けられる。例えばパネル部材１５ａの外面には、吹出ユニット１８のメイン吹出口１４と吹出ユニット１８を操作する操作具２７が設けられ、パネル部材１５ｂの外面には、空調操作ユニット１９を操作する操作具２８が配設され、パネル部材１５ｃの外面には、オーディオユニット２０を操作する操作具２９が配設され、パネル部材１５ｄの外面には、灰皿ユニット２２のトレイ３０やシガーライタソケット２４の差込口２４ａ（いずれも操作具類）が配設されている。
【００１９】
インストルメントパネル１の上面の一部、ここでは運転席からの視認性がよい延長部４の上方の上面部分は、便宜上、後付け機器４５の取付け可能な機器取付け域αにしている。むろん、他の上面部分であっても構わない。
上記各パネル部材１５ａ〜１５ｄをインストルメントパネル１に組付ける構造には、例えば延出部４の開口部１０の開口縁部に各パネル部材１５ａ〜１５ｄの縁部を受ける段差部３１を形成し、この段差部３１の有る開口部１０から、延出部４内へ、横方向から各ユニット１８〜２１を差し入れる構造が用いられている。
【００２０】
具体的には、図３に示されるように例えば開口部１０の最上段には、吹出ユニット１８を受け入れる口部３２が設けられている。その口部３２から下側の延長部４の両壁面には、順に空調操作ユニット１９の両側部が嵌るガイド部３３、オーディオユニット２０の両側部が嵌るガイド部３４が設けられている。また延出部４内の内底面には、灰皿ユニット２１の側部が嵌るガイド部３５が設けられていて、延出部４の前面方向から、各パネル部材１５ａが段差部３１と重なり合うまで各ユニット１８〜２１を差し込むと、延長部４の前面に組み付けられる構造にしてある。すなわち、吹出ユニット１８は口部３２へ向かい、空調操作ユニット１９はガイド部３３へ向かい、オーディオユニット２０はガイド部３４へ向かい、灰皿ユニット２１はガイド部３５へ向かい差し込んで、各パネル部材１５ａ〜１５ｄの縁部を爪部（図示しない）などの固定具で段差部３１に固定すると、各ユニット１８〜２１が延出部４内に組込まれる。と共に、図１に示されるように各パネル部材１５ａ〜１５ｄの相互が段差部３１上で連続して連なり、延出部４の前面に、４つのパネル部材１５ａ〜１５ｄが上部から下部まで連続する操作パネル１５が形成される構造となっている。
【００２１】
こうした操作パネル１５の内側には、機器取付け域αに取り付く後付け機器４５の配線、例えば電源ケーブル４６を、電源供給端子を兼ねるシガーライタソケット２４まで導くための配線挿通部３７（空配管）が配設されている。つまり、配線挿通部３７は、機器取付け域αの近傍と、同機器取付け域αから遠く離れた地点に配置（使用優先度が低いため）に有るシガーライトソケット２５の近辺とを結ぶように配設される。
【００２２】
ここで、操作パネル１５の内側のスペースは、各ユニット１８〜２２の本体部などが占められているので、配線挿通部３７を通す作業が行える場所は、パネル内面の近辺を除いては少なく、インストルメントパネル１内からでは、操作パネル１５の内側を通過させる作業は非常に難しくなる。
そこで、配線挿通部３７にはこの配索作業の省力化が図れる工夫が施してある。同工夫は、配線挿通部３７を、分割されたパネル部材１５ａ〜１５ｄにならって複数、例えば５つの区域に分割し、分割した分割挿通部３８ａ〜３８ｅを、横部３（本体部）、分割パネル部材１５ａ〜１５ｄの内面にそれぞれ設けて、操作パネル１５が延長部４の前面で組上がると、機器取付け域αの近傍からシガーライタソケット２５の近辺位置までの間に配線挿通部３７（空配管）が形成されるようにしたものである。
【００２３】
同構造には例えば図３および図４に示されるような構造が用いられている。具体的には分割挿通部３８ａ〜３８ｅは、例えば電源ケーブル４６やケーブル端のプラグ部４６ａが挿通可能な内径を有する管部材を用いてある。この管部材で形成される分割挿通部３８ａ〜３８ｅのうち、分割挿通部３８ｂ〜３８ｄは、ストレート形状にしてある。このうち分割挿通部３８ｂは、パネル内面の空いた部位、例えば吹出ユニット１８の側部と隣接したパネル部材１５ａの内面に縦向きで一体に形成してある。分割挿通部３８ｃも、同じく空調操作ユニット１９の側部と隣接したパネル部材１５ｂの内面に縦向きで一体に形成してある。分割挿通部３８ｄも、同じくオーディオユニット２０の側部と隣接したパネル部材１５ｃの内面に縦向きで一体に形成してある。これら分割挿通部３８ｂ〜３８ｄは、パネル部材１５ａ〜１５ｃを延長部４の前面に組付けたとき、上下に直線状に連なる地点に設けてある。また分割挿通部３８ｅは、パネル部材１５ｄのシガーライタソケット２５の近くの内面部分からＬ形に突き出ている。具体的には分割挿通部３８ｅは、シガーライタソケット２５の近辺に形成した閉塞部材４１（円形の破線で囲まれる部分）の裏面から斜め上方に突き出るように形成してある。さらに述べると分割挿通部３８ｅは、パネル部材１５ｄをパネル部材１５ａ〜１５ｃと共に延長部４の前面に組付けたとき、分割挿通部３８ｂ〜３８ｄと連なる地点に設けてある。残る分割挿通部３８ａは、機器取付け域αの近傍となる横部３の内面から突き出るように形成してある。具体的には、機器取付け域αの近傍の地点には閉塞部材４２（円形の破線で囲まれる部分）が設けられていて、分割挿通部３８ａは、この閉塞部材４２の裏面から開口部１０の上縁部へ向かい突き出るように形成されている。分割挿通部３８ａは、パネル部材１５ａ〜１５ｄを延長部４の前面に組付けたとき、分割挿通部３８ｂ〜３８ｅと連なる地点に設けてあり、こうした各分割挿通部３８ａ〜３８ｅにより、操作パネル１５が組上がると、分割挿通部３８ａ〜３８ｄの相互の組み合わせから、機器取付け域αの近傍からシガーライタソケット２４の近辺位置までの経路が形成されるようにしている。
【００２４】
また良好な経路を形成するため、各分割挿通部３８ａ〜３８ｅの端部に形成されている出入り口４４は、図５に示されるようにパネル部材３８ａ〜３８ｄを組み合わせたとき、隣り合うパネル部材間の境界部において互いに向き合って、分割挿通部間を電源ケーブル４６がスムースに通れるようにしている。特に出入り口４４同士が確実に合わさるよう、各出入り口４４には位置決め部５０が設けられ、先に組み付ける分割挿通部の出入り口に対して、後から組み付く分割挿通部の出入り口を位置決められるようにしている。ここでは、例えばパネル部材１５ａ〜１５ｄは、例えば最初に横方向からパネル部材１５ａを組付け、その後に横方向からパネル部材１５ｄを組付け、その後、横方向からパネル部材１５ｂ、１５ｃを組み付けるという順番で組付くことにしているために、各位置決め部５０は、その順番で組み合うと、順に位置決めが行われる構造が用いてある。
【００２５】
そのため、位置決め部５０には、例えば図３に示されるように隣合って配置される一対の出入り口４４，４４のうち、先に延長部４に配置される側の出入り口４４に受け部５１を形成し、後から延長部４に配置される側の出入り口４４に、受け部５１に対してパネル部材１５ａ〜１５ｄの差込み方向から嵌る嵌合部５２を形成した構造が用いてある。具体的には、受け部５１は、管部材の端部を延長してなる。嵌合部５２は、管部材の端部を退避させその退避した端から、例えば半円形の位置決め壁部５３を突出させた構造が用いられ、パネル部材が横方向から装着されるにしたがい、受け部５１に対して位置決め壁部５３が嵌り合い、先に配置された出入り口４４に対して、後から配置される出入り口４４が位置決めされる構造にしている。
【００２６】
この位置決めが、パネル部材１５ａ〜１５ｅの組立順にしたがい成立するよう、図３に示されるように分割挿通部３８ａ端の出入り口４４には受け部５１が設けられ、分割挿通部３８ｂの上端の出入り口４４には嵌合部５２が設けられるとともに下端の出入り口４４には受け部５１が設けられ、分割挿通部３８ｃの上端の出入り口４４には嵌合部５２が設けられるとともに下端の出入り口４４には受け部５１が設けられ、分割挿通部３８ｄの上端と下端の出入り口４４には嵌合部５２がそれぞれ設けられ、分割挿通部３８ｅ端の出入り口４４には受け部５１が設けられている。
【００２７】
このように配線挿通部３７を構成すると、通常の差込作業によって、図３〜図５に示されるように操作延長部４の開口部１０に、吹出ユニット１８と共にパネル部材１５ａ、灰皿ユニット２１と共にパネル部材１５ｄ、空調操作ユニット１９と共にパネル部材１５ｂ、オーディオユニット２０と共にパネル部材１５ｃを装着して、延長部４の前面に一面の操作パネル１５を形成する作業を行うと、分割挿通部３８ａ〜３８ｅの相互が組み合い、操作パネル１５の内側に、機器取付け域αの近傍からシガーライタソケット２５の近辺までの経路をもつ配線挿通部３７が形成される。
【００２８】
後付け機器４５は、この組上げた配線挿通部３７を用いて取付ければよい。すなわち、例えばナビゲート装置など後付け機器４５をインストルメントパネル１に装着するときは、インストルメントパネル１の機器取付け域αの上面部分に同ナビゲート装置など後付け機器４５の本体を設置してから、図５に示すように閉塞部材４１、４２を取り去り、例えばワイヤー状の線材挿通具（図示しない）を用いて、空配管となる配線挿通部３７内に、後付け機器４５の配線である電源ケーブル４６を引き込む手順で行う。
【００２９】
具体的には引き込み作業は、例えばシガーライタソケット２５の近辺で開放している分割挿通部３８ｅからワイヤー状の線材挿通具を挿入して、線材挿通具の先端部を反対側の分割挿通部３８ａ端から導出させる。この導出した線材挿通具の先端部に電源ケーブル４６の端末、ここでは例えばシガーソケット２５の差し込み部となる電源ケーブル４６端のプラグ部４６ａを結びつける。この後、分割挿通部３８ｅ側から、ワイヤーの線材挿通具を引っ張る。すると、プラグ部４６ａならびに電源ケーブル４６は、開放している分割挿通部３８ａ端から操作パネル１５の内側に引き込まれる。この引き込みにより、プラグ部４６ａならびに電源ケーブル４６は、各分割挿通部３８ａ〜３８ｅでガイドされながら、操作パネル１５の内側を挿通する。分割挿通部３８ｅの端からプラグ部４６が外部に導出されるまで線材挿通具を引き込むと、電源ケーブル４６は空配管となる配線挿通部３７内に配線され、プラグ部４６は電源供給端子を兼ねるシガーライタソケット２５の近辺から引き出される。この後、引き出したプラグ部４６ａをワイヤー状の線材挿通具から外して、シガーライタソケット２５に差し込むと、図２に示されるように電源ケーブ４６の大部分がインストルメントパネル１に内蔵されるという、よい見栄えを保つ配索が行われ、後付け機器４５の設置を終える。
【００３０】
この際、プラグ部４６は外形が大きく、曲がった空配管となる配線挿通部３７内に通すのは難しい場合が多いことが懸念される。この場合は、電源ケーブル４６を後付け機器４５の本体から外し、同電源ケーブル３６のプラグ部４６ａと反対側の端に有る、後付け機器４５の本体と着脱可能な部品である外形の小さな電源プラグ端子４６ｂ（図５に図示）を、上記ワイヤー状の線材挿通具を用いて上記とは反対方向から引き込めばよい。すなわち、ワイヤー状の線材挿通具の先端部を、分割挿通部３８ａの開放端から配線挿通部３７内に挿通して、分割挿通部３８ｅの開放端（シガーライタソケット２５側）へ導出させ、同先端部に電源ケーブル４６の端に有る電源プラグ端子４６ｂを結びつけてから、上側（インストルメントパネル１側）に引っ張り上げて、分割挿通部３８ａ端から導出させると、容易に配線挿通部３７内に電源ケーブル４７が通せる。
【００３１】
むろん、こうした作業以外の他の作業で、電源ケーブル４７を配線挿通部３７内に通してもよく、作業の仕方は問わない。
このように配線挿通部３７は、配線経由を考慮してパネル部材１５ａ〜１５ｄ毎に分割し、分割した分割挿通部３８ａ〜３８ｅを、インストルメントパネル１の本体部を含め、パネル部材１５ａ〜１５ｄの内面に設ける構造としたから、パネル部材１５ａ〜１５ｅの組付け作業をそのまま流用するという、簡単な作業で、操作パネル１５の内側を通る配線挿通部３７（空配管）を形成することができる。特に、後付け機器４５が設置される地点から、最も遠くに離れたシガーライタソケット近辺までといった配索しづらい場所に配線挿通部３７を形成するときは有効で、容易に後付け機器４５の電源が確保できる。
【００３２】
しかも、分割挿通部３８ａ〜３８ｅの出入り口４４は、パネル部材１５ａ〜１５ｄを組み合わせたとき、隣り合うパネル部材１５ａ〜１５ｄの境界部において近接して互いに向き合うので、配線の挿通しやすい経路ができる。そのうえ、出入り口４４は、位置決め部５０を用いて、先に組付ける分割挿入部の出入り口４４に対し、後から組付く出入り口４４を位置決めているので、部品の製品誤差に有無に関わらず、隣り合う出入り口同士を確実に合わせることができる。
【００３３】
図６および図７は、本発明の第２の実施形態を示す。
本実施形態は、第１の実施形態のようなパネル部材１５ａ〜１５ｄを横方向から、延長部４の開口部１０に差込んで操作パネル１５を形成する構造ではなく、上下方向からの組付作業で操作パネル１５を形成する構造に本発明を適用したものである。
具体的にはインストルメントパネルは、延長部４の段差部３１のうち、両側の上段部分が切欠いてある。またパネル部材１５ａ〜１５ｄのうちパネル部材１５ｂ、１５ｃの両側には、切欠き部３１ａから、段差部３１とスライド可能に嵌る一対の溝部１６が設けられていて、これで、操作パネル１５が延長部４の前面に形成される構造にしてある。すなわち、最初に第１の実施形態と同様に灰皿ユニット２１を横方向から開口部１０の下段に差込んで、最下段にパネル部材１５ｄを組付ける。その後、切欠き部３１ａの有る開口部１０の上段へ、オーディオユニット２０を差し込み、切欠き部３１ａを通して、同オーディオユニット２０に付いているパネル部材１５ｃの両側の溝部１６を段差部３１に嵌めて、下方へ移動させ、パネル部材１５ｄの直上にパネル部材１５ｃを連ねる。その後、同様に切欠き部３１ａの有る開口部１０の上段へ、空調操作ユニット１９を差し込み、同空調操作ユニット１９に付いているパネル部材１５ｂの両側の溝部１６を段差部３１に嵌めて、下方へ移動させ、パネル部材１５ｃの直上にパネル部材１５ｂを連ねる。最後に第１の実施形態と同様に、吹出ユニット１８を横方向から開口部１０の上段に差込んで、残る開口をパネル部材１５ａで塞ぐと、延長部４の前面に操作パネル１５が形成される。
【００３４】
このような組付手順の操作パネル１５でも、各パネル部材１５ａ〜１５ｄの内面に分割挿入部３８ｂ〜３８ｄを設けることによって、第１の実施形態と同様、操作パネル１５が組上がるにしたがい、操作パネル１５の内側に配線挿通部３７が形成される。
この場合、上下方向から位置決めが求められるパネル部材１５ｂ〜１５ｄの位置決め部６０には、確実な位置決めを行うため、例えば図６および図７に示されるように受け部５１は管部材の端部で形成し、嵌合部５２は管部材４０の端部に受け部５１と軸心方向から嵌り合う円筒状部６３を形成した構造が用いてある。本実施形態では、円筒状部６３は管部材に一体に形成してある。特に受け部５１をなす管部材の先端にテーパー部（図示しない）を形成すると、テーパー部のガイド作用により、多少の製品誤差に関わらず、良好な位置決めが行える。
【００３５】
図８（ａ）,（ｂ）は、本発明の第３の実施形態を示す。
本実施形態は、第２の実施形態の変形例で、円筒状部６３を、別体な軟らかい部品で形成するものとした。このようにしても第２の実施形態と同様の位置決め特性が確保される。
図９（ａ）,（ｂ）は、本発明の第４の実施形態を示す。
【００３６】
本実施形態は、第２，３の実施形態の変形例で、位置決め部６０をなす受け部５１は、端に向かうにしたがい拡開する円形の錐状部６５で形成し、同じく嵌合部５２は同錐状部６５が内面に突き当て可能な大きさの円形の錐状部６６で形成したものである。このようにしても第２の実施形態と同様の位置決め特性が確保される。
図１０（ａ）,（ｂ）は、本発明の第５の実施形態を示す。
【００３７】
本実施形態は、第１〜３の実施形態の変形例で、位置決め部５０，６０をなす受け部５１、嵌合部５２として、一方には環状溝６７が形成されたフランジ部６８を用い、他方には環状溝６７と嵌合可能な環状のシール部材６９を設けたフランジ部７０を用いたものである。同構造だと、第１の実施形態のようなパネル部材１５ａ〜１５ｄを横方向から装着する場合や、第２の実施形態のようなパネル部材１５ｂ、１５ｃを上下方向から装着する場合の双方において、十分に位置決めが行える。
【００３８】
図１１は、本発明の第６の実施形態を示す。
本実施形態は、第１〜５の実施形態のように分割挿通部３８ａ〜３８ｅを管部材４０の一部品から形成したのではなく、複数の部品を組み合わせて形成したものである。
具体的には、例えばパネル部材１５ａ〜１５ｄの内面の複数個所に、チューブ保持部７３を設け、これらチューブ保持部７３間にチューブ部材７４を保持させて、分割挿通部３８ｂ〜３８ｄを構成するようにしたものである。
【００３９】
このようにしても第１，２の実施形態と同様の効果を奏する。
図１２は、本発明の第７の実施形態を示す。
本実施形態は、第１〜５の実施形態のように分割挿通部３８ｂ〜３８ｄを管部材で形成したのではなく、他の配線を通すに十分な断面形状をもつ細長部材、例えば溝形の断面形状を有する溝形部材７５を用いて、内部に配線を通すための挿通路を形成したものである。
【００４０】
このような分割挿通部３８ｂ〜３８ｄを用いても、第１，２の実施形態と同様の効果を奏する。
但し、第２〜第７の実施形態において、第１の実施形態と同じ部分には同一符号を付してその説明を省略した。
なお、本発明は上述した実施形態に限定されるものではなく、本発明の主旨を逸脱しない範囲内で種々可変して実施しても構わない。例えば上述した実施形態では、メイン吹出口が有る部分も分割された操作パネルに本発明を用いたが、これに限らず、同操作パネルが、メイン吹出口を含まない、空調操作ユニットやオーディオユニットの有る部分だけが分割した構造にも、また延長部自体が操作パネルにしたがい分割される構造にも、本発明を適用してもよい。むろん、上述した実施形態は、後付け機器としてナビゲート装置の電源ケーブルを配索する例を挙げたが、ナビゲート装置以外の後付け機器における電源線などの配線の配索にも適用できることはいうまでもない。
【符号の説明】
【００４１】
１  インストルメントパネル
１５  操作パネル
１５ａ〜１５ｄ  パネル部材
２４  シガーライタソケット
３７  配線挿通部
３８ａ〜３８ｅ  分割挿通部
４４  出入り口
４５  後付け機器
４６  電源ケーブル（配線）
５０  位置決め部
α  機器取付け域
【図１】
2011020615.tif 000003
【図２】
2011020615.tif 000004
【図３】
2011020615.tif 000005
【図４】
2011020615.tif 000006
【図５】
2011020615.tif 000007
【図６】
2011020615.tif 000008
【図７】
2011020615.tif 000009
【図８】
2011020615.tif 000010
【図９】
2011020615.tif 000011
【図１０】
2011020615.tif 000012
【図１１】
2011020615.tif 000013
【図１２】
2011020615.tif 000014